Podtech/llm-jp-corpus-v4-ja_patent huggingface dataset:
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
外科手術に使用されるべき外科用物品のシステムであって、該システムは、
複数の個別の外科用物品であって、各物品はその上に機械読み取り可能な情報を有し、該機械読み取り可能な情報は、その特定の物品を該システムの中の他の全ての物品から一意的に区別する情報を含む、複数の個別の外科用物品と、
該個別の外科用物品の全てを保持するパッケージであって、該パッケージは、各個別の物品の一意的な情報を含む機械読み取り可能な情報を有し、該パッケージ情報のスキャンは、コンピュータに、該パッケージ中の各外科用物品の該一意的な識別を提供する、パッケージと
を備えている、システム。
【請求項２】
前記物品はガーゼアイテムである、請求項１に記載のシステム。
【請求項３】
前記機械読み取り可能な情報は、少なくともタイプ情報を含む、請求項１または２に記載のシステム。
【請求項４】
前記タイプ情報は、サイズまたは特徴的な視覚的モチーフを含む、請求項３に記載のシステム。
【請求項５】
前記パッケージ上の前記機械読み取り可能な情報は、前記パッケージ中の前記個別の物品に対する、タイプ、サイズおよび／または視覚的なモチーフ情報を提供する、請求項４に記載のシステム。
【請求項６】
前記パッケージは、包装を含む、請求項１〜５のいずれかに記載のシステム。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
臓器移植のレシピエントである患者におけるＩＲＩに感受性である臓器または組織を保護するための医薬組成物であって、アネキシン二量体を含む単離修飾アネキシンタンパク質を含む、前記医薬組成物。
【請求項２】
アネキシン二量体が１０〜１０００μｇ／ｋｇの血管内用量となる様式でレシピエントに投与される、請求項１に記載の医薬組成物。
【請求項３】
アネキシン二量体が１００〜５００μｇ／ｋｇの血管内用量となる様式でレシピエントに投与される、請求項１に記載の医薬組成物。
【請求項４】
移植中にレシピエント患者に投与される、請求項１に記載の医薬組成物。
【請求項５】
アネキシン二量体を含む単離修飾アネキシンタンパク質が、配列番号６、配列番号１９、配列番号２７および配列番号２３からなる群より選択されるタンパク質を含む、請求項１に記載の医薬組成物。
【請求項６】
再灌流傷害および機能不全に対して臓器または組織移植片を保護する方法であって、移植を必要とする患者における当該臓器または組織の移植の前に、該臓器または組織を灌流または保存のための保存液と接触させ、または該臓器または組織をリンスすることを含み、ここで当該保存液が、虚血後のＩＲＩを防止するのに十分な濃度の、アネキシン二量体を含む単離修飾アネキシンタンパク質を含有する、但し該方法はヒトの体内においては実施されない、前記方法。
【請求項７】
アネキシン二量体を含む単離修飾アネキシンタンパク質に加えて、電解質および細胞保護剤からなる群より選択される少なくとも１つの構成要素を含有する保存液で、臓器または組織を灌流する、請求項６に記載の方法。
【請求項８】
アネキシン二量体を含む単離修飾アネキシンタンパク質が、０．１から１ｍｇ／ｌの濃度で保存液に添加される、請求項６に記載の方法。
【請求項９】
アネキシン二量体を含む単離修飾アネキシンタンパク質が、配列番号６、配列番号１９、配列番号２７および配列番号２３からなる群より選択されるタンパク質を含む、請求項６に記載の方法。
【請求項１０】
ＩＲＩに感受性である臓器または組織を保護する方法であって、ホスファチジルセリンに対するアネキシンＶの親和性の少なくとも１０％である、ホスファチジルセリンに対する親和性を有するタンパク質の有効量と、該臓器または組織を接触されることを含む、但し該方法はヒトの体内においては実施されない、前記方法。
【請求項１１】
タンパク質がモノクローナルまたはポリクローナル抗体である、請求項１０に記載の方法。
【請求項１２】
（ａ）配列番号１７または配列番号２１のポリヌクレオチド配列に対して少なくとも９５％の同一性を有するポリヌクレオチド配列を含む、単離ポリヌクレオチド；
（ｂ）配列番号１７または配列番号２１のポリヌクレオチドを含む、単離ポリヌクレオチド；
（ｃ）配列番号１７または配列番号２１のポリヌクレオチドに対して少なくとも９５％の同一性を有する、単離ポリヌクレオチド；
（ｄ）配列番号１７または配列番号２１の単離ポリヌクレオチド；
（ｅ）配列番号１９または配列番号２３のポリペプチド配列に対して少なくとも９５％の同一性を有するポリペプチド配列をコードするポリヌクレオチド配列を含む、単離ポリヌクレオチド；
（ｆ）配列番号１９または配列番号２３のポリペプチドをコードするポリヌクレオチド配列を含む、単離ポリヌクレオチド；
（ｇ）配列番号１９または配列番号２３のポリペプチド配列に対して少なくとも９５％の同一性を有するポリペプチド配列をコードするポリヌクレオチド配列を有する、単離ポリヌクレオチド；
（ｈ）配列番号１９または配列番号２３のポリペプチドをコードする、単離ポリヌクレオチド；
（ｉ）（ａ）〜（ｈ）のポリヌクレオチドのＲＮＡ同等物である、ポリヌクレオチド；および
（ｊ）（ａ）〜（ｉ）のポリヌクレオチドに相補的なポリヌクレオチド配列、
からなる群より選択され、ここで（ａ）〜（ｋ）のポリヌクレオチドは、細胞表面上のホスファチジルセリンに結合する能力を有するポリペプチドをコードする、単離ポリヌクレオチド。
【請求項１３】
（ａ）配列番号１９または配列番号２３の配列を含む、単離ポリペプチド；
（ｂ）配列番号１９または配列番号２３のポリペプチド配列に対して少なくとも９５％の同一性を有するポリペプチド配列を含む、単離ポリペプチド；
（ｃ）配列番号１９または配列番号２３のポリペプチド配列を有する、単離ポリペプチド；
（ｄ）配列番号１９または配列番号２３のポリペプチド配列に対して少なくとも９５％の同一性を有する、単離ポリペプチド；および
（ｅ）配列番号１９または配列番号２３のポリペプチド配列；
からなる群より選択され、ここで（ａ）〜（ｅ）のポリペプチドは細胞表面上のホスファチジルセリンに結合する、単離ポリペプチド。
【手続補正書】
【提出日】平成21年7月17日(2009.7.17)
【手続補正１】
【補正対象書類名】特許請求の範囲
【補正対象項目名】請求項１
【補正方法】変更
【補正の内容】
【請求項１】
存在する関心領域に対する放射線量の線量体積ヒストグラムを生成するステップと、
前記線量体積ヒストグラムのサブセットを選択するステップと、
前記線量体積ヒストグラムの前記選択されたサブセットに対応する新しい関心領域を限定するステップと、
を含む線量体積ヒストグラムを用いて既存の関心領域に対する新しい関心領域を限定する方法。
【手続補正２】
【補正対象書類名】特許請求の範囲
【補正対象項目名】請求項８
【補正方法】変更
【補正の内容】
【請求項８】
存在する関心領域に対する放射線量の線量体積ヒストグラムを生成するステップと、
前記線量体積ヒストグラムのサブセットを選択するステップと、
前記線量体積ヒストグラムの前記選択されたサブセットに対応する新しい関心領域を限定するステップと、を含み、
前記線量体積ヒストグラムは、少なくとも２つの線量体積間の比較の線量体積ヒストグラムである、
線量体積ヒストグラムを用いて既存の関心領域に対する新しい関心領域を限定する方法。
【手続補正３】
【補正対象書類名】特許請求の範囲
【補正対象項目名】請求項４０
【補正方法】変更
【補正の内容】
【請求項４０】
先在する関心領域に対する放射線量のヒストグラムを生成するステップと、
前記ヒストグラムのサブセットを選択するステップと、
前記ヒストグラムの前記選択されたサブセットに対応する新しい関心領域を限定するステップと、を含み、
前記ヒストグラムは、少なくとも２つの線量体積間の比較の線量体積ヒストグラムである、
ヒストグラムを用いて新しい関心領域を限定する方法。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
患者の体への液体の注入速度が制御される持続的な注入を提供する医用注入システムであって、
動作を管理するためのコントローラと、通信のためのトランシーバと、流体移送システムのための運動を生成するためのエンジンと、前記流体移送システムの第１の部分であって、前記第１の部分が前記流体移送システムの第２の部分に動作可能に結合されるときに前記流体移送システムが液体の移送のために動作可能になる第１の部分とを備える、第１の別個の再利用可能ユニットと、
前記第１の部分と動作可能に結合するための、前記流体移送システムの第２の部分と、注入される液体を保持するためのリザーバと、前記リザーバと前記患者の体の間で流体を通すのを可能にするチューブと、前記第１のユニットが前記第２のユニットに動作可能に結合されるときに前記第１のユニットに電力を送るための少なくとも１つのエネルギー源とを備える、第２の別個の消耗式ユニットと、
前記患者の体に挿入するためのカニューレと、前記カニューレに取り付けられた貫通手段とを備える、第３のユニットと、
前記第１の再利用可能ユニットと通信するためのトランシーバと、１つ又は複数のコンピュータ・プログラム、データ及び指令のうちの少なくとも１つを格納するための少なくとも１つのメモリと、前記メモリ及び前記トランシーバに結合され、データ及び／又は指令を受信し、実行し及び／又は送信するために動作可能である制御モジュールと、ユーザに対するデータの通信のための、及び、前記ユーザから前記コントローラに指令を送信するためのＩ／Ｏユーザ・インターフェースとを備える、第４の別個の遠隔操作ユニットと
を具備し、
前記コントローラが、前記第４の遠隔操作ユニットからの適切な指令の送信時に、前記第１の再利用可能ユニットと前記第２の消耗式ユニットとを動作可能に結合するよう構成され、前記カニューレが前記体に配置され、前記エンジンに電力が供給され、前記リザーバから前記体に液体が移送される医用注入システム。
【請求項２】
前記第２の別個の消耗式ユニットがウェルを含み、前記カニューレが前記ウェルに結合されて前記ウェルと前記体との間に流体連通を提供するように前記体に挿入される、請求項１に記載のシステム。
【請求項３】
前記第２の消耗式ユニットが更に、前記第３のユニットを受けるための回転可能な部材を備え、前記回転可能な部材が、前記チューブと前記カニューレとの間に流体連通をもたらす、請求項１に記載のシステム。
【請求項４】
前記第３のユニットが別個のユニットである、請求項１に記載のシステム。
【請求項５】
前記第１の再利用可能ユニットが更に安全装置を備える、請求項１に記載のシステム。
【請求項６】
前記安全装置が、前記チューブの圧力を監視する圧力センサを含む、請求項５に記載のシステム。
【請求項７】
前記圧力センサが、前記チューブに隣接して配置された圧電センサを備える、請求項６に記載のシステム。
【請求項８】
更に、流量センサを備える、請求項１に記載のシステム。
【請求項９】
前記第１の再利用可能ユニットが１つ又は複数の充電式のバッテリを備え、該電池が充電ポートを介して外部バッテリ・チャージャとの連結によって充電可能である、請求項１に記載のシステム。
【請求項１０】
前記第２の消耗式ユニットが、前記少なくとも１つのエネルギ源に電気的に接続される送信側接点を備え、
前記第１の再利用可能ユニットが、前記コントローラに接続される受信側接点を備え、
前記第１の再利用可能ユニットが前記第２の消耗式ユニットに動作可能に結合され、
前記送信側接点が前記受信側接点に結合されて電力を前記第１の再利用可能ユニットへ送る、請求項１に記載のシステム。
【請求項１１】
前記送信側接点と前記受信側接点とのうちの少なくとも一方がバネ式である、請求項１０に記載のシステム。
【請求項１２】
前記第１の再利用可能ユニットが更にアラーム・モジュールを備える、請求項１に記載のシステム。
【請求項１３】
前記カニューレが、所望の角度で皮膚に挿入できる、請求項１に記載のシステム。
【請求項１４】
前記第２の消耗式ユニットが、前記第１の再利用可能ユニットを取り外し可能に受けるためのクレードルを備える、請求項１に記載のシステム。
【請求項１５】
前記第２の消耗式ユニットが皮膚に取り外し可能に固着される、請求項１に記載のシステム。
【誤訳訂正書】
【提出日】平成21年11月2日(2009.11.2)
【誤訳訂正１】
【訂正対象書類名】特許請求の範囲
【訂正対象項目名】全文
【訂正方法】変更
【訂正の内容】
【特許請求の範囲】
【請求項１】
シアリルラクトース含有量が乾燥物質ベースで１〜４０重量%となるように乳製品に天然に含まれるシアリルラクトースを濃縮した、当該乳製品から誘導される濃縮物。
【請求項２】
前記乳製品が、ホエー製品、ホエー保持物、及びホエー透過物からなる群より選択される、請求項１に記載の濃縮物。
【請求項３】
さまざまな授乳段階の人の乳の濃度と適合するオリゴ糖結合シアル酸の総濃度を有する、反芻動物又はその他の乳生産動物からの乳製品由来の組成物。
【請求項４】
１００〜１５００ｍｇ／Ｌのオリゴ糖結合シアル酸の総濃度を有する、反芻動物又はその他の乳生産動物からの乳製品由来の組成物。
【請求項５】
乳児用調製乳、フォローオン調製乳、乳児用シリアル製品又はグローイングアップ・ミルクの如き乳児用栄養物、プロテインバー、スポーツ栄養物、ドリンク、健康サプリメント、医療用食品及び臨床栄養物から成る群から選択される栄養組成物である、請求項３又は４に記載の組成物。
【請求項６】
以下のステップ：
（ａ）組成物を準備し；
（ｂ）請求項１又は２に記載の濃縮物を準備し；そして、
（ｃ）ステップ（ａ）の組成物と、ステップ（ｂ）の濃縮物とを混合し、シアリルラクトースが濃縮された組成物を得ること
を含む、シアリルラクトースが濃縮された組成物の製造方法。
【請求項７】
前記組成物が、乳児用調製乳、フォローオン調製乳、乳児用シリアル製品又はグローイングアップ・ミルクの如き乳児用栄養物、プロテインバー、スポーツ栄養物、ドリンク、健康サプリメント、医療用食品及び臨床栄養物からなる群から選択される、前記請求項６に記載の方法。
【請求項８】
請求項６又は７に記載の方法により得られる、製造物。
【請求項９】
以下のステップ：
i）限外濾過又はナノ濾過保持物を得るために、限外濾過膜を用いて天然発生のシアリルラクトースを含む乳製品の限外濾過又はナノ濾過を行い；
ii）限外濾過又はナノ濾過保持物のダイアフィルトレーション又はナノ濾過を行い；
iii )場合により、逆浸透、及び／又は乾燥を行なうこと
を含む、請求項１に記載の濃縮物の調製方法。
【請求項１０】
前記膜が、約0.5-4 k ダルトンである分子量カットオフ（MWCO）値を有する、請求項９に記載の方法。
【請求項１１】
前記限外濾過、ナノ濾過、続いてダイアフィルトレーションまたはナノ濾過が、2℃〜50℃の温度、及び1〜50barの送給圧力で行われる、請求項９又は１０に記載の方法。
【請求項１２】
前記組成物が、逆浸透、結晶化、クロマトグラフィー、乾燥又はそれらの組み合わせ、あるいは１又は複数のキャリアと一緒の乾燥によってさらに処理される、請求項９〜１１のいずれか１項に記載の方法。
【請求項１３】
前記乳製品が、ホエー製品、ホエー透過物、ホエー保持物、分画された乳保持物又は乳透過物、及びラクトース製品からの母液から成る群から選択される、請求項９〜１２のいずれか１項に記載の方法。
【請求項１４】
前記濃縮物が、単独で、あるいは油脂、ホエー、脱ミネラル・ホエー、ホエー蛋白質濃縮物、ホエー蛋白質単離物、その他のホエー分画、ホエー又はミルク透過物又は濃縮物、スキムミルク、全乳、半スキムミルク、ミルク分画、マルトデキストリン、ショ糖、ラクトース、天然及びゼラチン化前でんぷん、グルコース・シロップ、カゼイン、及びカゼイン分画から成る群から選択される１又は複数のキャリアと共に乾燥される、請求項９〜１３のいずれか１項に記載の方法。
【請求項１５】
前記限外濾過膜が、薄層ポリアミドをベースとする膜、および限外濾過のために通常用いられる対応膜からなる群から選択される、請求項９〜１４のいずれか１項に記載の方法。
【請求項１６】
前記限外濾過膜が、クロスフロー濾過、デッドエンド濾過、プレート・アンド・フレーム方式、カートリッジ方式、振動方式、フラットシート膜、スパイラル膜、繊維膜、及びチューブ状膜からなる群から選択される構造を有する、請求項９〜１５のいずれか１項に記載の方法。
【請求項１７】
請求項９〜１６のいずれか１項に記載の方法によって得られる濃縮物。
【誤訳訂正２】
【訂正対象書類名】明細書
【訂正対象項目名】００２２
【訂正方法】変更
【訂正の内容】
【００２２】
本発明は、クロスフロー・スパイラル型の膜を用いたが、代わりに他の膜や形態を用いることもできる。別の膜及び形態としては、クロスフロー濾過、デッドエンド濾過、プレート・アンド・フレーム方式、カートリッジ方式、振動方式、フラットシート膜、スパイラル膜、繊維膜、及びチューブ状膜などがあるが、それだけに限定されない。当該膜は適当なプロセス・ユニットに収容して、非制限的に温度、圧力、流量、pHなどの如きプロセス・パラメーターを制御しながら送給液と膜が接触できるようにする。膜は送給液を、透過物と保持物のプロセス・ストリームに分離する。プロセス・ストリームはプロセス・ユニットから完全に取り出すことも、何らかの仕方で完全に又は部分的にプロセス・ユニットと関連供給システム内で再循環させることもある（タンクとプロセス・ストリーム）。使用前に、膜とプロセス・ユニットは、膜メーカーが承認する洗剤とプロセス・パラメーターを用いてメーカーの指示に従って洗浄される。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
クエン酸カリウム、クエン酸、並びに炭酸カルシウム、水酸化カルシウム、酸化カルシウム、及びこれらの任意の組み合わせからなる群から選択される成分の混合物を含む、組成物。
【請求項２】
前記混合物が粉末混合物である、請求項１に記載の組成物。
【請求項３】
該クエン酸カリウムが、約１０ｍＥｑ〜約４０ｍＥｑのレベルであり、該炭酸カルシウムが、約１０ｍＥｑ〜約４０ｍＥｑのレベルであり、クエン酸が、約２０ｍＥｑ〜約１００ｍＥｑのレベルである、請求項１に記載の組成物。
【請求項４】
前記組成物が、約２０ｍＥｑのクエン酸カリウム、約２０ｍＥｑの炭酸カルシウム、及び約２０ｍＥｑのクエン酸を含む、請求項１に記載の組成物。
【請求項５】
更にクエン酸の形態で０．１７〜１．３４ｍＥｑのクエン酸塩を有する、請求項４に記載の組成物。
【請求項６】
更に甘味料を含む、請求項１に記載の組成物。
【請求項７】
前記甘味料が人工甘味料である、請求項６に記載の組成物。
【請求項８】
該組成物が溶液の形態である、請求項１に記載の組成物。
【請求項９】
該溶液が水溶液である、請求項８に記載の組成物。
【請求項１０】
該組成物が懸濁液の形態である、請求項１に記載の組成物。
【請求項１１】
クエン酸カリウム、炭酸カルシウム、及びクエン酸を含み、水に溶解すると、カリウム、カルシウム及びクエン酸塩の水溶液を、２：１：１．３３〜２：１：２．６７の範囲のカリウム：カルシウム：クエン酸塩のモル比でもたらす、粉末混合物。
【請求項１２】
該クエン酸カリウムが、約１０ｍＥｑ〜約４０ｍＥｑのレベルであり、該炭酸カルシウムが、約１０ｍＥｑ〜約４０ｍＥｑのレベルであり、クエン酸が、約２０ｍＥｑ〜約１００ｍＥｑのレベルである、請求項１１に記載の粉末混合物。
【請求項１３】
約２０ｍＥｑのクエン酸カリウム、約２０ｍＥｑの炭酸カルシウム、及び約２０ｍＥｑのクエン酸を含む、請求項１２に記載の粉末混合物。
【請求項１４】
更にクエン酸の形態で０．１７〜１．３４ｍＥｑのクエン酸塩を有する、請求項１２に記載の粉末混合物。
【請求項１５】
２：１：１．３３のカリウム：カルシウム：クエン酸塩のモル比を有する、請求項１１に記載の粉末混合物。
【請求項１６】
動物における骨粗鬆症若しくは腎結石又はその両方を処置又は予防するための組成物であって、クエン酸カリウム、クエン酸、並びに炭酸カルシウム、水酸化カルシウム、酸化カルシウム、及びこれらの任意の組み合わせからなる群から選択される成分の混合物を含み、前記組成物が、２：１：１．３３〜２：１：２．６７の範囲のカリウム：カルシウム：クエン酸塩のモル比を有する、組成物。
【請求項１７】
該動物がヒトである、請求項１６に記載の組成物。
【請求項１８】
該ヒトが閉経後の女性である、請求項１７に記載の組成物。
【請求項１９】
前記組成物が経口投与されることで特徴付けられる、請求項１６に記載の組成物。
【請求項２０】
該動物が慢性下痢症候群を呈する、請求項１６に記載の組成物。
【請求項２１】
該組成物が、２：１：１．３３のカリウム：カルシウム：クエン酸塩のモル比を有する、請求項１６に記載の組成物。
【請求項２２】
動物における骨粗鬆症若しくは腎結石又はその両方を処置又は予防するための組成物であって、２：１：１．３３〜２：１：２．６７の範囲のカリウム：カルシウム：クエン酸塩のモル比を有する、クエン酸カリウム及びクエン酸カルシウムの混合物を含む、組成物。
【請求項２３】
該動物がヒトである、請求項２２に記載の組成物。
【請求項２４】
該ヒトが閉経後の女性である、請求項２３に記載の組成物。
【請求項２５】
前記組成物が経口投与されることで特徴付けられる、請求項２２に記載の組成物。
【請求項２６】
該動物が慢性下痢症候群を呈する、請求項２２に記載の組成物。
【請求項２７】
該組成物が、２：１：１．３３のカリウム：カルシウム：クエン酸塩のモル比を有する、請求項２２に記載の組成物。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
分子を連続的に合成するシステムであって、
（ａ）互いに一定の順序及び一定の間隔で配置された複数の反応部位を有するマイクロタイタープレートを受け入れるように構成されたプレートモジュールを有するステージと、
（ｂ）前記反応部位に試薬を配送して反応を開始させる複数の投与ステーションと、
前記投与ステーションは、前記ステージに沿って互いに一定の間隔で配置されており、前記間隔は前記反応が完了するのに必要な時間と相関しており、
（ｃ）反応部位の第２の反応が始まる前にその反応部位の第１の反応が完了するように所定のスケジュールで、前記反応部位に前記試薬を順次投与する手段と、
前記間隔と前記スケジュールは、前記反応が完了するのに必要なステップの順序と継続時間とに相関しており、
（ｄ）前記反応部位の画像を取得する、少なくとも１つの画像化ステーションと、
を有するシステム。
【請求項２】
前記分子はポリマーを含む、請求項１に記載のシステム。
【請求項３】
前記試薬を繰り返し連続的に受け取ることにより、モノマーが前記ポリマーに加えられる、請求項２に記載のシステム。
【請求項４】
前記分子はＤＮＡを含む、請求項１に記載のシステム。
【請求項５】
前記分子はアミノ酸を含む、請求項１に記載のシステム。
【請求項６】
前記反応部位はマルチウェルプレートのくぼみを有する、請求項１に記載のシステム。
【請求項７】
前記反応部位から前記試薬を取り除く、少なくとも１つの溶液除去装置をさらに有する、請求項１に記載のシステム。
【請求項８】
前記システムは、前記複数の反応部位の少なくとも１つの画像を取得する画像化ステーションをさらに有する、請求項１に記載のシステム。
【請求項９】
前記制御システムは、前記画像化ステーションからの画像を分析し、前記試薬が前記反応部位に投与されたかどうかを判断する、請求項８に記載のシステム。
【請求項１０】
前記複数の投与ステーションの少なくとも１つは、複数の投与装置を有する、請求項１に記載のシステム。
【請求項１１】
前記複数の投与装置は、アデノシン合成試薬溶液を投与する第１の試薬投与装置と、チミジン合成試薬溶液を投与する第２の試薬投与装置と、シチジン合成試薬溶液を投与する第３の試薬投与装置と、グアノシン合成試薬溶液を投与する第４の試薬投与装置と、を有する、請求項１０に記載のシステム。
【請求項１２】
分子を連続的に合成する方法であって、
（ａ）互いに一定の順序及び一定の間隔で配置された複数の反応部位を有するマイクロタイタープレートを受け入れるように構成されたプレートモジュールを有するステージを提供するステップと、
（ｂ）前記反応部位に試薬を配送して反応を開始させる複数の投与ステーションを提供するステップと、
前記投与ステーションは、前記ステージに沿って互いに一定の間隔で配置されており、前記間隔は前記反応が完了するのに必要な時間と相関しており、
（ｃ）反応部位の第２の反応が始まる前にその反応部位の第１の反応が完了するように所定のスケジュールで、前記反応部位に前記試薬を順次投与するステップと、
前記間隔と前記スケジュールは、前記反応が完了するのに必要なステップの順序と継続時間とに相関しており、
（ｄ）前記反応部位の画像を取得する少なくとも１つの画像化ステーションを提供するステップと、
を有する方法。
【請求項１３】
前記分子はＤＮＡを含む、請求項１２に記載の方法。
【請求項１４】
前記分子はアミノ酸を含む、請求項１２に記載の方法。
【請求項１５】
前記反応部位はマルチウェルプレートのくぼみを有する、請求項１２に記載の方法。
【請求項１６】
前記ステージを移動させる前に前記反応溶液を取り除くステップをさらに有する、請求項１２に記載の方法。
【請求項１７】
前記反応部位の少なくとも１つを画像化し、反応部位の画像を提供するステップをさらに有する、請求項１２に記載の方法。
【請求項１８】
前記画像を分析し、前記反応溶液が前記反応部位に投与されたかどうかを判断するステップをさらに有する、請求項１２に記載の方法。
【請求項１９】
前記ステージは円形テーブルを有する、請求項１に記載のシステム。
【請求項２０】
前記投与ステーションは、前記円形テーブルの外周に沿って配置されている、請求項１９に記載のシステム。
【請求項２１】
前記円形テーブルは、前記反応部位が所定時間で前記投与ステーションの下方に移動するように所定の速度で回転する、請求項２０に記載のシステム。
【請求項２２】
前記反応部位は、第１の投与ステーションから第２の投与ステーションに移動し、前記所定時間は、前記反応部位が前記第２の投与ステーションの下方に位置する前に前記反応が完了するように計算されている、請求項２１に記載のシステム。
【請求項２３】
前記試薬を順次投与する手段は、制御システムを有する、請求項１に記載のシステム。
【請求項２４】
前記試薬を順次投与するステップは、モノマーを前記ポリマーに順次投与することを含む、請求項２に記載のシステム。
【請求項２５】
前記分子はポリマーを含む、請求項１２に記載の方法。
【請求項２６】
前記ステージは円形テーブルを有する、請求項１２に記載の方法。
【請求項２７】
前記投与ステーションは、前記円形テーブルの外周に沿って配置されている、請求項２６に記載の方法。
【請求項２８】
前記円形テーブルは、前記反応部位が所定時間で前記投与ステーションの下方に移動するように所定のスピードで回転する、請求項２７に記載の方法。
【請求項２９】
前記反応部位は、第１の投与ステーションから第２の投与ステーションに移動し、前記所定時間は、前記反応部位が前記第２の投与ステーションの下方に位置する前に前記反応が完了するように計算されている、請求項２８に記載の方法。
【請求項３０】
前記試薬を順次投与する手段は、制御システムを有する、請求項１２に記載の方法。
【請求項３１】
前記試薬を前記反応部位に順次投与するステップは、前記ステージを移動させることを含む、請求項１２に記載の方法。
【請求項３２】
前記ステージは円形テーブルを有し、
前記ステージを移動させるステップは、前記円形テーブルを回転させることを含む、請求項３１に記載の方法。
【請求項３３】
前記ステージを回転させるステップは、時計回り及び反時計回りの方向に前記テーブルを回転させることを含む、請求項３２に記載の方法。
【請求項３４】
前記ステージは、時計回り及び反時計回りの方向に回転するように構成されている、請求項１に記載のシステム。
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
ウイルスによって誘導される呼吸器疾患の増悪を治療するために投与される医薬品の製造における、
(a)1種以上のインターフェロン-λ(IFN-λ)ポリペプチド、または
(b)標的とする気管支上皮細胞内で1種以上のIFN-λポリペプチドを発現させることのできる1種又は複数種のポリヌクレオチド
から選択される作用物質の使用。
【請求項２】
前記呼吸器疾患が喘息である、請求項１に記載の使用。
【請求項３】
前記ウイルスが誘導する増悪が、ライノウイルス、RSV、およびインフルエンザウイルスからなる群から選択されたウイルスの感染によって生ずるものである、請求項１または請求項２に記載の使用。
【請求項４】
IFN-λ1、IFN-λ2、およびIFN-λ3からなる群から選択された1種以上のIFN-λポリペプチドを使用する、請求項1〜3のいずれか1項に記載の使用。
【請求項５】
1種以上のIFN-λポリペプチドの投与が1種以上のポリヌクレオチドの発現を介するものである、請求項1〜3のいずれか1項に記載の使用。
【請求項６】
前記1種以上のIFN-λポリペプチドまたは前記1種以上のポリヌクレオチドの投与が気道への送達によるものである、請求項1〜5のいずれか1項に記載の使用。
【請求項７】
治療薬剤を含んでなる医薬組成物を具備する器具であって、該治療薬剤は、(i)1種以上のIFN-λポリペプチド、または(ii)標的とする気管支上皮細胞内で1種以上のIFN-λポリペプチドを発現させることのできる1種以上のポリヌクレオチドであり、該器具は該組成物の気道への送達に適したものである、前記器具。
【請求項８】
(i)1種以上のIFN-λポリペプチド、もしくは(ii)標的とする気管支上皮細胞内で1種以上のIFN-λポリペプチドを発現させることのできる1種以上のポリヌクレオチドである第1の治療薬剤および追加の治療薬剤の同時、個別、もしくは連続投与のための製品。
【請求項９】
前記追加の治療薬剤が吸入コルチコステロイドである、請求項8に記載の製品。
【請求項１０】
アレルギー疾患を有しているか、もしくは発症する危険性のある患者に投与するための医薬品の製造における、
(a)1種以上のIFN-λポリペプチド、または
(b)標的細胞内で1種以上のIFN-λポリペプチドを発現させることのできる1種又は複数種のポリヌクレオチド
から選択される作用物質の使用。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
互い違いの、赤外線及び／又は太陽光線で反射的性質を有するｎ個の機能層（４０）と、（ｎ＋１）個の誘電体膜（２０、６０）（ここでｎ≧１）とを含む薄膜多層コーティングが取り付けられた基板（１０）であって、該誘電体膜は、誘電体材料でできた少なくとも１つを含む１つの層もしくは複数の層（２２、２４、６２、６４）からなり、従って各機能層（４０）は、少なくとも２つの誘電体膜（２０、６０）の間に置かれている基板（１０）において、
少なくとも１つの機能層（４０）は、該機能層と直接接触した少なくとも１つの境界層（３２、５２）からなるブロッカー膜（３０、５０）を含み、かつ前記境界層は酸化チタンＴｉＯ2をベースとすることを特徴とする基板（１０）。
【請求項２】
多層コーティングは、３つの膜（２０、６０、１００）と互い違いの２つの機能層（４０、８０）を含むことを特徴とする、請求項１に記載の基板（１０）。
【請求項３】
ＴｉＯｘで作製された境界層（３２、５２）は部分的に酸化され、ここで１．５≦ｘ≦１．９８であることを特徴とする、請求項１又は２に記載の基板（１０）。
【請求項４】
境界層（３２、５２）は、５ｎｍ未満の幾何学的厚さを有することを特徴とする、請求項１〜３のいずれか１項に記載の基板（１０）。
【請求項５】
境界層（３２、５２）は、次の物質：Ｔｉ、Ｖ、Ｍｎ、Ｃｏ、Ｃｕ、Ｚｎ、Ｚｒ、Ｈｆ、Ａｌ、Ｎｂ、Ｎｉ、Ｃｒ、Ｍｏ、Ｔａの少なくとも１つ、又はこれらの物質の少なくとも１つをベースにした合金から選択される１つ又はそれ以上の他の化学元素を含むことを特徴とする、請求項１〜４のいずれか１項に記載の基板（１０）。
【請求項６】
境界層（３２、５２）は、セラミックターゲットを使用して非酸化雰囲気中で沈着されることを特徴とする、請求項１〜５のいずれか１項に記載の基板（１０）。
【請求項７】
ブロッカー膜（３０、５０）は、１つ又はそれ以上の他の層をさらに含むことを特徴とする、請求項１〜６のいずれか１項に記載の基板（１０）。
【請求項８】
ブロッカー膜（３０、５０）は０．５〜５ｎｍの幾何学的厚さを有し、さらには、少なくとも２つの層を含む場合、１〜１０ｎｍの厚さを有することを特徴とする、請求項１〜７のいずれか１項に記載の基板（１０）。
【請求項９】
少なくとも１つの他の基板を組合せた、請求項１〜８のいずれか１項に記載の少なくとも１つの基板（１０）を組み込んだガラス。
【請求項１０】
モノリシックガラス又は２重ガラス型もしくは積層ガラス型の多重ガラスとして取り付けられたガラスであって、多層コーティングを支持した少なくとも１つの基板は湾曲ガラス又は強化ガラスで作製されていることを特徴とする、請求項９に記載のガラス。
【請求項１１】
薄膜多層コーティングを、真空スパッタリングにより基板（１０）の上に沈積させること、及び境界層（３２、５２）を、セラミックターゲットを使用して非酸化雰囲気中で沈着させることを特徴とする、請求項１〜８のいずれか１項に記載の基板（１０）の製造方法。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
難燃性樹脂配合物であって、
ａ）下記の特徴：ｉ）ｄ10が約０．５から約１．４μｍの範囲、ｉｉ）ｄ50が約１．２から約３．０μｍの範囲、ｉｉｉ）ｄ90が約２．２から約６．０μｍの範囲、ｉｉｉ）総ソーダ含有量が水酸化アルミニウム（「ＡＴＨ」）を基準にして約０．２重量％未満、ｉｖ）亜麻仁油吸収率が約１５から約５０ｍｌ／１００ｇの範囲、およびｖ）ＢＥＴ比表面積が約２．０から約８ｍ2／ｇの範囲の中の少なくとも１つ以上を有する水酸化アルミニウム（「ＡＴＨ」）粒子、および
ｂ）少なくとも１種の合成樹脂、
を含有して成っていて前記ＡＴＨが示す導電率が約２００μＳ／ｃｍ未満である難燃性樹脂配合物。
【請求項２】
前記ＡＴＨの可溶ソーダ含有量が約０．１重量％未満である請求項１記載の難燃性樹脂配合物。
【請求項３】
前記ＡＴＨがｉ）約０．６から約１．０μｍの範囲内のｄ10および／またはｉｉ）約１．３から約２．８μｍの範囲内のｄ50または約１．４から約２．６μｍの範囲内のｄ50および／またはｉｉｉ）約２．５から約５．５μｍの範囲内のｄ90または約２．７から約５．０μｍの範囲内のｄ90を示す請求項２記載の難燃性樹脂配合物。
【請求項４】
前記ＡＴＨの総ソーダ含有量が０．１８重量％未満である請求項３記載の難燃性樹脂配合物。
【請求項５】
前記ＡＴＨが下記：
【表１】
2009514763.tif 000001
または
【表２】
2009514763.tif 000002
または
【表３】
2009514763.tif 000003
のＴＧＡプロファイルを示す請求項３−５のいずれか記載の難燃性樹脂配合物。
【請求項６】
前記ＡＴＨが示す亜麻仁油吸収率が３０より上から約５０ｍｌ／１００ｇの範囲内である請求項５記載の難燃性樹脂配合物。
【請求項７】
前記ＡＴＨが示すＢＥＴ比表面積が約２．３から約６ｍ2／ｇの範囲内である請求項６記載の難燃性樹脂配合物。
【請求項８】
前記ＡＴＨの可溶ソーダ含有量がａ）ＡＴＨを基準にして約０．００１から約０．１重量％の範囲内またはｂ）同じ基準で約０．００１から０．０２重量％未満の範囲内である請求項４記載の難燃性樹脂配合物。
【請求項９】
前記ＡＴＨの不溶ソーダ含有量が全ソーダを基準にして総ソーダ含有量の約７０から約９９重量％の範囲内である請求項８記載の難燃性樹脂配合物。
【請求項１０】
前記ＡＴＨが示す導電率がａ）約１００μＳ／ｃｍ未満またはｂ）約２０から約４５μＳ／ｃｍの範囲内である請求項９記載の難燃性樹脂配合物。
【請求項１１】
難燃性樹脂配合物であって、
ａ）下記の特徴：ｉ）ｄ10が約０．６から約１．０μｍの範囲、ｉｉ）ｄ50が約１．３から約２．６μｍの範囲、ｉｉｉ）ｄ90が約２．７から約５．０μｍの範囲、ｉｉｉ）総ソーダ含有量が水酸化アルミニウム（「ＡＴＨ」）を基準にして約０．１２重量％未満、ｉｖ）亜麻仁油吸収率が約１５から約５０ｍｌ／１００ｇの範囲、およびｖ）ＢＥＴ比表面積が約２．０から約６ｍ2／ｇの範囲の中の少なくとも１つ以上を有する水酸化アルミニウム（「ＡＴＨ」）、および
ｂ）少なくとも１種の合成樹脂、
を含有して成っていて前記少なくとも１種の合成樹脂がエポキシ樹脂、ノボラック樹脂、燐含有樹脂、臭素化エポキシ樹脂、不飽和ポリエステル樹脂およびビニルエステルから選択され、前記ＡＴＨが示す導電率が約１００μＳ／ｃｍ未満であり、前記ＡＴＨの可溶ソーダ含有量が約０．１重量％未満でありかつ前記ＡＴＨが下記：
【表４】
2009514763.tif 000004
のＴＧＡプロファイルを示す難燃性樹脂配合物。
【請求項１２】
前記ＡＴＨが下記：
【表５】
2009514763.tif 000005
または
【表６】
2009514763.tif 000006
のＴＧＡプロファイルを示す請求項１１記載の難燃性樹脂配合物。
【請求項１３】
前記ＡＴＨが示すｉ）亜麻仁油吸収率が３０より上から約５０ｍｌ／１００ｇの範囲内である；ｉｉ）ＢＥＴ比表面積が約２．５から約４．５ｍ2／ｇの範囲内である；ｉｉｉ）可溶ソーダ含有量がＡＴＨを基準にして約０．００１から約０．１重量％の範囲内である；ｉｖ）可溶ソーダ含有量が約０．００１から０．０２重量％未満の範囲内である；またはｖ）ｉ）〜ｉｖ）の組合せである請求項１２記載の難燃性樹脂配合物
【請求項１４】
請求項１３記載の難燃性樹脂配合物から作られたエポキシ積層品。
【請求項１５】
請求項１１記載の難燃性樹脂配合物から作られたエポキシ積層品。
【請求項１６】
約０．６から約１．０μｍの範囲内のｄ10、約１．２から約３．０μｍの範囲内のｄ50、約２．５から約６．０μｍの範囲内のｄ90、ＡＴＨを基準にして約０．２重量％未満の総ソーダ含有量、ＩＳＯ  ７８７−５：１９８０で測定した時に約１５から約４０ｍｌ／１００ｇの範囲内の亜麻仁油吸収率およびＤＩＮ−６６１３２で測定した時に約２．０から約５ｍ2／ｇの範囲内の比表面積（ＢＥＴ）、熱重量分析（ＴＧＡ）で測定した時に下記：
【表７】
2009514763.tif 000007
の熱安定性を示すＡＴＨであって、前記ＡＴＨを水に１０重量％入れて水中で測定した時に約２００μＳ／ｃｍ未満の導電率を示すＡＴＨ。
【請求項１７】
請求項１６記載のＡＴＨであって、ｉ）ＡＴＨを基準にした総ソーダ含有量が０．１８重量％未満もしくは０．１２重量％未満である；ｉｉ）ＡＴＨを熱重量分析（ＴＧＡ）で測定した時に下記：
【表７】
2009514763.tif 000008
もしくは
【表９】
2009514763.tif 000009
の熱安定性を示す；ｉｉｉ）約３０以上から約４０ｍｌ／１００ｇの範囲内の亜麻仁油吸収率を示す：ｉｖ）約２．３から約４．３ｍ2／ｇの範囲内のＢＥＴ比表面積を示す；ｖ）ＡＴＨを水に１０重量％入れて水中で測定した時に約１００μＳ／ｃｍ未満もしくは約２０から約４５μＳ／ｃｍの範囲内の導電率を示す；ｖｉ）  ＡＴＨを基準にして約０．０２より上から約０．１重量％の範囲内の可溶ソーダ含有量を有する；またはｖｉｉ）ｉ）〜ｖｉ）の組合せであるＡＴＨ。
【請求項１８】
不溶ソーダ含有量が全ソーダを基準にして総ソーダ含有量の約７０から約９９重量％の範囲内である請求項１７記載のＡＴＨ。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
互い違いの、赤外線及び／又は太陽光線で反射的性質を有するｎ個の機能層（４０）と、（ｎ＋１）個の誘電体膜（２０、６０）（ここでｎ≧１）とを含む薄膜多層コーティングが取り付けられた基板（１０）であって、該誘電体膜は、誘電体材料でできた少なくとも１つを有する１つの層もしくは複数の層（２２、２４、６２、６４）からなり、従って各機能層（４０）は、少なくとも２つの誘電体膜（２０、６０）の間に置かれている、基板（１０）において、
少なくとも１つの機能層（４０）は、
一方では、該機能層と直接接触した境界層（３２、５２）（この境界層は金属ではない材料でできている）からなり、かつ
他方では、該境界層（３２、５２）と直接接触している、金属材料でできた少なくとも１つの金属層（３４、５４）からなるブロッカー膜（３０、５０）を含むことを特徴とする基板（１０）。
【請求項２】
多層コーティングは、３つの膜（２０、６０、１００）と互い違いの２つの機能層（４０、８０）を含むことを特徴とする、請求項１に記載の基板（１０）。
【請求項３】
境界層（３２、５２）は酸化物及び／又は窒化物をベースにすることを特徴とする、請求項１又は２に記載の基板（１０）。
【請求項４】
金属層（３４、５４）は、次の金属：Ｔｉ、Ｖ、Ｍｎ、Ｃｏ、Ｃｕ、Ｚｎ、Ｚｒ、Ｈｆ、Ａｌ、Ｎｂ、Ｎｉ、Ｃｒ、Ｍｏ、Ｔａの少なくとも１つ、又はこれらの物質の少なくとも１つを主成分とする合金の少なくとも１つから選択される材料からなることを特徴とする、請求項１〜３のいずれか１項に記載の基板（１０）。
【請求項５】
金属層（３４、５４）は、チタンを主成分とすることを特徴とする、請求項４に記載の基板（１０）。
【請求項６】
境界層（３２、５２）は、次の金属：Ｔｉ、Ｖ、Ｍｎ、Ｆｅ、Ｃｏ、Ｃｕ、Ｚｎ、Ｚｒ、Ｈｆ、Ａｌ、Ｎｂ、Ｎｉ、Ｃｒ、Ｍｏ、Ｔａ、Ｗの少なくとも１つ、又はこれらの物質の少なくとも１つを主成分とする合金の酸化物から選択される金属の、酸化物、窒化物、又は酸窒化物であることを特徴とする、請求項１〜５のいずれか１項に記載の基板（１０）。
【請求項７】
境界層（３２、５２）は、金属層（３４、５４）中に存在する１個もしくはそれ以上の金属の酸化物、窒化物、又は酸窒化物であることを特徴とする、請求項６に記載の基板（１０）。
【請求項８】
境界層（３２、５２）は部分的に酸化されていることを特徴とする、請求項１〜７のいずれか１項に記載の基板（１０）。
【請求項９】
境界層（３２、５２）は、ＴｉＯｘ（ここで、１．５≦ｘ≦１．９９）から作製されることを特徴とする、請求項１〜８のいずれか１項に記載の基板（１０）。
【請求項１０】
境界層（３２、５２）は、５ｎｍ未満の幾何学的厚さを有することを特徴とする、請求項１〜９のいずれか１項に記載の基板（１０）。
【請求項１１】
金属層（３４、５４）は、５ｎｍ未満の幾何学的厚さを有することを特徴とする、請求項１〜１０のいずれか１項に記載の基板（１０）。
【請求項１２】
ブロッカー膜（３０、５０）は、１０ｎｍ未満の幾何学的厚さを有することを特徴とする、請求項１〜１１のいずれか１項に記載の基板（１０）。
【請求項１３】
少なくとも１つの他の基板と組合せた、請求項１〜１２のいずれか１項に記載の少なくとも１つの基板（１０）を組み込んだガラス。
【請求項１４】
モノリシックガラス又は２重ガラス型もしくは積層ガラス型の多重ガラスとして取り付けられたガラスであって、多層コーティングを支持した少なくとも１つの基板は湾曲ガラス又は強化ガラスで作製されることを特徴とする、請求項１３に記載のガラス。
【請求項１５】
薄膜多層コーティングを、スパッタリングの真空法により基板（１０）の上に沈積させること、及びブロッカー膜（３０、５０）の各層を、少なくとも隣接層を沈着するのに使用されるターゲットとは異なる組成を有するターゲットからスパッタリングにより沈着させることを特徴とする、請求項１〜１２のいずれか１項に記載の基板（１０）の製造方法。
【請求項１６】
境界層（３２、５２）を、非酸化雰囲気中でセラミックターゲットを使用して沈着させることを特徴とする、請求項１５に記載の方法。
【請求項１７】
ブロッカー膜の層（３０、５０）を沈着させるのに使用されるターゲットは、同じ化学元素をベースにしていることを特徴とする、請求項１５又は１６に記載の方法。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
水硬性結合剤、および骨材を含むプラスターモルタルにおいて、少なくとも１のモノフルオロリン酸塩が含まれていることを特徴とする、水硬性結合剤、および骨材を含むプラスターモルタル。
【請求項２】
１または複数のモノフルオロリン酸アルカリ金属が含まれていることを特徴とする、請求項１に記載のプラスターモルタル。
【請求項３】
前記プラスターモルタルの結合剤に対して、０．０５〜５質量％のモノフルオロリン酸塩が含まれていることを特徴とする、請求項１または２に記載のプラスターモルタル。
【請求項４】
水溶液中に少なくとも１のモノフルオロリン酸塩を含む、コンクリート表面用の接着プライマー。
【請求項５】
モノフルオロリン酸塩が１〜３０質量％の割合で含まれていることを特徴とする、請求項４に記載の接着プライマー。
【請求項６】
１または複数のモノフルオロリン酸アルカリ金属が含まれていることを特徴とする、請求項４または５に記載の接着プライマー。
【請求項７】
１または複数のさらなる含有成分、例えば殺真菌薬、着色剤などが含まれていることを特徴とする、請求項４から６までのいずれか１項に記載の接着プライマー。
【請求項８】
コンクリート表面のプラスターの接着性を改善する方法において、少なくとも１のモノフルオロリン酸塩がコンクリート表面に施与されることを特徴とする、コンクリート表面のプラスターの接着性を改善する方法。
【請求項９】
１〜１００ｇ／ｍ2のモノフルオロリン酸塩がコンクリート表面に塗布されることを特徴とする、請求項８に記載の方法。
【請求項１０】
コンクリート表面に１または複数のモノフルオロリン酸アルカリ金属が塗布されることを特徴とする、請求項９に記載の方法。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
車両用アクティブサスペンションシステムであって、
第１構成要素と、
ネットワークを介して前記第１構成要素との通信を行う第２構成要素と
を具備し、
前記第１構成要素は、該第１構成要素が前記ネットワークを介して前記第２構成要素へ転送するデータのうちの少なくとも一部を暗号化するように構成され、
前記第１構成要素から前記第２構成要素へ転送される前記データは、暗号化された制御命令を含んでいることを特徴とするアクティブサスペンションシステム。
【請求項２】
前記第１構成要素が、中央制御部を具備することを特徴とする請求項１に記載のアクティブサスペンションシステム。
【請求項３】
前記第２構成要素が、車輪に機械的に連結されたアクチュエータを具備することを特徴とする請求項２に記載のアクティブサスペンションシステム。
【請求項４】
前記第１構成要素が、アクチュエータを具備することを特徴とする請求項１に記載のアクティブサスペンションシステム。
【請求項５】
前記第２構成要素が、前記第１構成要素から受信した暗号化されたデータを復号するように構成されることを特徴とする請求項１に記載のアクティブサスペンションシステム。
【請求項６】
第２構成要素は、該第２構成要素が前記ネットワークを介して前記第１構成要素へ転送するデータのうちの少なくとも一部を暗号化するように構成されることを特徴とする請求項１に記載のアクティブサスペンションシステム。
【請求項７】
前記第１構成要素から前記第２構成要素へ転送される前記データが、センサフィードバック情報を含んでいることを特徴とする請求項１に記載のアクティブサスペンションシステム。
【請求項８】
前記センサフィードバック情報が暗号化されていることを特徴とする請求項７に記載のアクティブサスペンションシステム。
【請求項９】
前記ネットワークがデータバスであることを特徴とする請求項１に記載のアクティブサスペンションシステム。
【請求項１０】
前記ネットワークがリングトポロジであることを特徴とする請求項１に記載のアクティブサスペンションシステム。
【請求項１１】
前記ネットワークがポイント・ツー・ポイントトポロジであることを特徴とする請求項１に記載のアクティブサスペンションシステム。
【請求項１２】
前記第１及び第２構成要素は、互いに双方向通信を行うことを特徴とする請求項１に記載のアクティブサスペンションシステム。
【請求項１３】
前記アクチュエータが、車体に連結された固定子と車輪に連結された電機子とを具備することを特徴とする請求項３に記載のアクティブサスペンションシステム。
【請求項１４】
車両用アクティブサスペンションシステムの第１構成要素と第２構成要素との間の通信を管理するための方法であって、
ネットワークを介して前記第１構成要素と前記第２構成要素との間でデータを転送する段階を有し、
前記データは、暗号化された制御命令を含んでいることを特徴とする方法。
【請求項１５】
前記制御命令が、暗号化鍵を用いて暗号化されることを特徴とする請求項１４に記載の方法。